(57)【要約】【課題】電界強度レベルの低いエリアや通信不可能なエリアなど通信エリアの詳細な情報を当該移動体携帯端末の所有者が当該移動体携帯端末を通して直接知り得るようにすること。【解決手段】ＧＰＳにより絶対的位置情報を得る等の方法により位置情報を検出する手段と、前記検出した位置情報が所有者により設定された自動電界強度測定条件で定める設定位置であるとき、電界強度を測定する手段と、前記測定した電界強度データを位置情報とともに蓄積する手段とを具備する。【選択図】      図１
2004201166.tif 000002
【特許請求の範囲】
【請求項１】
位置情報を検出する手段と、前記検出した位置情報が所有者の設定した自動電界強度測定条件で定める設定位置であるとき、電界強度を測定する手段と、前記測定した電界強度データを位置情報とともに蓄積する手段と、を具備することを特徴とする移動体携帯端末。
【請求項２】
位置情報を検出する手段と、現在の時間が所有者の設定した自動電界強度測定条件で定める測定時間であるとき、電界強度を測定する手段と、前記測定した電界強度データを位置情報とともに蓄積する手段と、を具備することを特徴とする移動体携帯端末。
【請求項３】
ネットワークのサーバーから地図情報を取得する手段と、前記取得した地図情報と前記測定した電界強度測定データとを関連付けて表示する手段と、を具備することを特徴とする請求項１又は請求項２記載の移動体携帯端末。
【請求項４】
ネットワークのサーバーに前記自動蓄積した電界強度測定データをアップロードし、その後、前記ネットワークのサーバーから前記電界強度測定データをダウンロードする手段と、前記ダウンロードされた電界強度測定データを地図情報と関連付けて表示する手段と、を具備することを特徴とする請求項１又は請求項２記載の移動体携帯端末。
【請求項５】
通信終了の原因が異常終了であるとき、異常切断を生じた場所の位置情報を取得し、異常切断位置データを蓄積する手段、を具備することを特徴とする請求項１から請求項４のいずれかに記載の移動体携帯端末。
【発明の詳細な説明】
【０００１】
【発明の属する技術分野】
本発明は、携帯電話器等の移動体携帯端末に関する。
【０００２】
【従来の技術】
携帯電話器等の移動体携帯端末と無線通信を行う基地局は、どの程度の距離までサービスが行えるかを把握しておく必要があることから、サービスエリアの電界強度を測定することが行われている（例えば、特許文献１）。
【０００３】
特許文献１では、自立航法センサにより相対的位置座標データを得る第１の位置測定手段と、ＧＰＳにより絶対的位置座標データを得る第２の位置測定手段と、移動体の走行中の走行地点における測定対象の電波を受信する受信部と、前記受信部で測定された電波の強さを統計処理して得られる統計量を所定の区間毎に区切り、その区間の統計量のうち特定の値だけ出力する統計処理部と、前記第１の位置測定手段によって得られた相対的位置座標データと前記第１の位置測定手段によって得られた絶対的位置座標データとを相互に補間して走行位置における正確な位置情報を得るナビゲーションシステム制御部と、前記統計処理された値を前記ナビゲーションシステム制御部で得られた位置情報に基づいて記憶させる制御部と、前記ナビゲーションシステム制御部で得られた位置情報を表示部とを添えた移動体通信用電界強度測定システムが開示されている。
【０００４】
【特許文献１】
特開平６−３５０５１６号公報（０００７〜００１２、図１）
【０００５】
【発明が解決しようとする課題】
しかしながら、上記特許文献１に記載の移動体通信用電界強度測定システムは、移動体通信のサービスエリアを把握するのを目的としたものであり、個々の移動体携帯端末の移動経路における電界環境を考慮した詳細な電界強度情報を提供するものではない。
【０００６】
即ち、電界強度測定システムにて電界強度測定した結果、基地局のサービスエリア内であっても、個々の移動体携帯端末の性能や所有者の移動経路における建築障害物による影響、所有者が通常生活で利用する交通手段の移動速度などによって、電界強度レベルの低いエリアや通信不可能なエリアが発生することがある。このような電界強度不安定な電界環境においては、通信中に切断することがあり、再度通信を実施する必要があった。
【０００７】
また、所有者は、移動経路における詳細な電界強度情報を得ようとする場合、移動しながら移動体携帯端末の表示部に表示される電界強度を示すアンテナ表示を確認し、手作業にて記録することは可能であるが、電界強度の測定位置と測定位置における電界強度とを所有者自身が手作業で記録する必要があり、人的労力を必要とする問題があった。
【０００８】
本発明は、かかる点に鑑みてなされたものであり、電界強度レベルの低いエリアや通信不可能なエリアなどを個々に検出し、個々の移動体携帯端末に存在する通信可能なサービスエリア情報を所有者に知らせる機能を備えた移動体携帯端末を提供することを目的とする。
【０００９】
【発明を解決するための手段】
本発明の移動体携帯端末は、位置情報を検出する手段と、前記検出した位置情報が所有者の設定した自動電界強度測定条件で定める設定位置であるとき、電界強度を測定する手段と、前記測定した電界強度データを位置情報とともに蓄積する手段と、を具備する構成を採る。
【００１０】
この構成によれば、所有者が移動体携帯端末に自動電界強度測定条件を設定することにより、移動体携帯端末は、自動電界強度測定条件で定める設定位置を検出した場合に、その設定位置にて自動的に電界強度を測定し、測定した電界強度データを自動蓄積することができる。したがって、所有者は、個々の移動体携帯端末に存在する通信可能なサービスエリア情報を詳細に知ることができる。
【００１１】
本発明の移動体携帯端末は、位置情報を検出する手段と、現在の時間が所有者の設定した自動電界強度測定条件で定める測定時間であるとき、電界強度を測定する手段と、前記測定した電界強度データを位置情報とともに蓄積する手段と、を具備する構成を採る。
【００１２】
この構成によれば、所有者が移動体携帯端末に自動電界強度測定条件を設定することにより、移動体携帯端末は、自動電界強度測定条件で定める測定時間を検出した場合に、自動的に電界強度を測定し、測定した電界強度データを自動蓄積することができる。したがって、所有者は、個々の移動体携帯端末に存在する通信可能なサービスエリア情報を詳細に知ることができる。
【００１３】
本発明の移動体携帯端末は、上記の発明において、ネットワークのサーバーから地図情報を取得する手段と、前記取得した地図情報と前記測定した電界強度測定データとを関連付けて表示する手段と、を具備する構成を採る。
【００１４】
この構成によれば、上記の発明において、ネットワークのサーバーから取得した地図情報と電界強度測定データとを関連付けて表示することができる。したがって、所有者は、個々の移動体携帯端末に存在する通信可能なサービスエリア情報を目視で確認することができる。
【００１５】
本発明の移動体携帯端末は、上記の発明において、ネットワークのサーバーに前記自動蓄積した電界強度測定データをアップロードし、その後、前記ネットワークのサーバーから前記電界強度測定データをダウンロードする手段と、前記ダウンロードされた電界強度測定データを地図情報と関連付けて表示する手段と、を具備する構成を採る。
【００１６】
この構成によれば、上記の発明において、自動測定した電界強度測定データをネットワークのサーバーにアップロードしておき、その後、必要に応じてダウンロードし、そのダウンロードされた電界強度測定データを地図情報と関連付けて表示することができる。したがって、所有者は、個々の移動体携帯端末に存在する通信可能なサービスエリア情報を目視で確認することができる。
【００１７】
本発明の移動体携帯端末は、上記の発明において、通信終了の原因が異常終了であるとき、異常切断を生じた場所の位置情報を取得し、異常切断位置データを蓄積する手段、を具備する構成を採る。
【００１８】
この構成によれば、上記の発明において、通信中に電界強度レベルの低いエリアや通信不可能なエリアに入り込み、通信が異常終了すると、その異常切断を生じた場所の位置情報を取得し、異常切断位置データを蓄積することできる。したがって、所有者は、以後、その異常切断が生じた場所を回避することができる。
【００１９】
【発明の実施の形態】
本発明の骨子は、移動体携帯端末毎に存在する電界強度レベルの低いエリアや通信不可能なエリアを当該移動体携帯端末の所有者が当該移動体携帯端末を通して直接知り得るようにすることである。
【００２０】
具体的には、予め設定した電界強度測定条件に従って移動体携帯端末が自動的に電界強度測定を実施し、通信可能なサービスエリアの詳細情報を所有者が知り得るようにすること、及び、通信が異常切断した場合にその時の位置データを移動体携帯端末が自動的に取得し、所有者が以後その異常切断が生じた場所を回避できるようにすることである。
【００２１】
以下、図面を参照して、本発明の実施の形態を詳細に説明する。
【００２２】
（実施の形態１）
図１は、本発明の実施の形態１に係る移動体携帯端末の構成を示すブロック図である。図１に示す移動体携帯端末１００は、ＰＤＣやＷＣＤＭＡなどの移動体無線端末である。この移動体携帯端末１００は、ＧＰＳ衛星からの電波を受信するＧＰＳ受信部１１０と、受信部１２１と送信部１２２とから構成され無線通信によるネットワークとの通信を行う無線部１２０と、通話時に使用するスピーカー＆マイク１３０と、通話時におけるキー操作や各種制御設定情報（例えば電界強度自動測定条件の設定）の入力時に使用するキー入力操作部１４０とを備えている。
【００２３】
また、この移動体携帯端末１００は、表示部１５０と、電界強度自動測定条件設定部１６１とデータ蓄積部１６２とから構成される記憶部１６０とを備えている。
【００２４】
ここで、表示部１５０は、通話発信時の通話相手先番号や着信番号の表示する機能と、ネットワークのサーバーとのブラウザ機能の表示する機能と、自動電界強度の測定結果をネットワークのサーバーから取得した地図情報に重ね合わせ電界強度測定結果を表示する機能とを有している。
【００２５】
電界強度自動測定条件設定部１６１は、移動体携帯端末１００が自動電界強度測定を実行するために、予め移動体携帯端末１００の所有者が電界強度を自動測定させる設定条件を設定する。データ蓄積部１６２は、電界強度自動測定した電界強度結果や位置情報を記録する。
【００２６】
また、この移動体携帯端末１００は、位置情報検出制御部１７１と電界強度自動測定制御部１７２とデータ自動蓄積制御部１７３と無線通信制御部１７４と時計制御部１７５とから構成される制御部１７０を備えている。
【００２７】
ここで、位置情報検出制御部１７１は、ＧＰＳ受信部１１０が受信した受信結果から移動体携帯端末１００の緯度、経度の位置情報を検出する。電界強度自動測定制御部１７２は、電界強度自動測定条件設定部１６１に設定された自動測定条件が成立することにより電界強度測定を自動的に開始する。
【００２８】
データ自動蓄積制御部１７３は、自動測定した電界強度データをデータ蓄積部１６２に記録する制御と、電界強度不安定な状態においてデータ通信中の異常切断状態の場合に、位置情報検出制御部１７１がＧＰＳ受信部１１０の受信結果から検出した移動体携帯端末１００の緯度、経度の位置情報を異常切断位置データとしてデータ蓄積部１６２に記録する制御とを実施する。
【００２９】
無線通信制御部１７４は、通話やネットワークを介してブラウザ機能を実現するための無線通信を制御し、電波不安定な状態において切断した旨をデータ自動蓄積制御部１７３に通知を行う。時計制御部１７５は、移動体携帯端末１００の時間機能を制御し、電界強度自動測定制御部１７２に時計情報を通知する。
【００３０】
次に、図２を参照して、以上のように構成される移動体携帯端末１００の動作を説明する。なお、図２は、図１に示す移動体携帯端末において実施される電界強度自動測定の動作等を説明するフローチャート図である。
【００３１】
図２において、所有者は、移動体携帯端末１００によって自動にて電界強度データ蓄積を実行するためにキー入力操作部１４０を操作し、電界強度自動測定条件設定部１６１に、電界強度自動測定の開始条件として、位置検出測定モードと時間検出測定モードとを設定し、移動体携帯端末１００を起動する（ステップＳＴ２０１）。その結果、制御部１７０では、開始条件の判定が行われる（ステップＳＴ２０２）。
【００３２】
開始条件が位置検出測定モードであるときは（ステップＳＴ２０２：Ｙｅｓ）、位置情報検出制御部１７２が起動される。位置情報検出制御部１７２は、ＧＰＳ受信部１１０の受信信号から位置情報を取得して移動体携帯端末１００の現在位置を検出し（ステップＳＴ２０３）、決められた電界強度測定の設定位置と比較する（ステップＳＴ２０４）。電界強度測定の設定位置でなければ（ステップＳＴ２０４：Ｎｏ）、ステップＳＴ２０３に戻り、位置情報の取得を繰り返し行う。
【００３３】
そして、電界強度測定の設定位置が見つかると（ステップＳＴ２０４：Ｙｅｓ）、電界強度自動測定制御部１７１が起動され、電界強度の測定が行われる（ステップＳＴ２０５）。次いで、データ自動蓄積制御部１７３が起動され、電界強度測定データと位置情報とがデータ蓄積部１６２に記録される（ステップＳＴ２０８）。
【００３４】
また、開始条件が時間検出測定モードであるときは（ステップＳＴ２０２：Ｎｏ）、時計制御部１７５が起動される。時計制御部１７５は、現在時間と電界強度測定設定時間とを比較し（ステップＳＴ２０６）、一致しなければ（ステップＳＴ２０６：Ｎｏ）、任意の時間を置いて周期的に判定する。そして、現在時間と電界強度測定設定時間とが一致すると（ステップＳＴ２０６：Ｙｅｓ）、位置情報検出制御部１７２が起動される。
【００３５】
位置情報検出制御部１７２は、ＧＰＳ受信部１１０の受信信号から位置情報を取得して移動体携帯端末１００の現在位置を検出する（ステップＳＴ２０７）。次いで、電界強度自動測定制御部１７１が起動され、電界強度の測定が行われる（ステップＳＴ２０５）。次いで、データ自動蓄積制御部１７３が起動され、電界強度測定データと位置情報とがデータ蓄積部１６２に記録される（ステップＳＴ２０８）。
【００３６】
以上の動作は、電界強度自動測定開始条件が成立する間、繰り返される。その過程で、所有者の設定に従って無線通信制御部１７４と表示部１５０とが起動された場合（ステップＳＴ２０９：Ｙｅｓ）、位置情報に基づきネットワークのサーバーから地図情報を取得し、電界強度測定データを地図上の該当位置に明示して表示することが行われる（ステップＳＴ２１０、ＳＴ２１１）。
【００３７】
また、ステップＳＴ２１０、ＳＴ２１１の代わりに、電界強度測定データと位置情報をネットワークのサーバーにアップロードしておき、必要に応じてネットワークのサーバーから電界強度測定データと位置情報をダウンロードし、電界強度測定データを地図上の該当位置に明示して表示することが行われる場合もある。
【００３８】
以上のように、移動体携帯端末１００は、所有者が自動電界強度測定条件を設定する機能と、ＧＰＳ衛星を利用して位置情報を検出する機能と、移動時若しくは停止時において電界強度測定の測定対象電波を受信する無線機能と、無線機能が受信した測定対象電波の電界強度を測定する電界強度測定機能と、それらの各機能を所有者が設定した自動電界強度測定条件に従って起動制御する機能とを備え、自動電界強度測定条件を満たしたことを検出した場合は、自動的に電界強度を測定し、測定データを自動蓄積できるようになっている。
【００３９】
また、移動体携帯端末１００は、無線通信機能を用いてネットワークのサーバーから地図情報を取得する機能を有し、自動蓄積した電界強度測定データを地図情報と関連付けて表示できるようになっている。
【００４０】
さらに、移動体携帯端末１００は、自動蓄積した電界強度測定データを無線通信機能を用いてネットワークのサーバーにアップロードしてネットワークのサーバーに蓄積しておき、ネットワークのサーバーに蓄積された電界強度の測定データを必要に応じてダウロードし、地図情報と電界強度測定データとを関連付けて表示できるようになっている。
【００４１】
したがって、個々の移動体携帯端末の性能や移動経路における建築障害物による影響、所有者が通常生活で利用する交通手段の移動速度などによって、電界強度レベルの低いエリアや通信不可能なエリアが存在する場合に、所有者は直接その場所を知ることができ、また目視で確認できるので、通信中に切断が生じる事態を回避することができる。
【００４２】
（実施の形態２）
実施の形態２では、図３に示すように、通信中に異常切断が生じた場合に、その異常切断位置データを自動的に取得する場合が示されている。以下、図１に示した移動体携帯端末の構成を利用して説明する。図３は、本発明の実施の形態２に係る移動体携帯端末において実施される異常切断位置データの自動蓄積動作を説明するフローチャート図である。
【００４３】
図３において、移動体携帯端末１００は、通常は、待ち受け状態である（ステップＳＴ３００）。発呼または着呼によって通信開始を判定する（ステップＳＴ３１０）。発呼または着呼があるまで（ステップＳＴ３１０：Ｎｏ）、待ち受け状態を継続する（ステップＳＴ３００）。発呼または着呼があると（ステップＳＴ３１０：Ｙｅｓ）、通信状態に遷移する（ステップＳＴ３２０）。
【００４４】
そして、通信が終了すると、通信終了の原因判定が行われる（ステップＳＴ３３０）。通信が正常に終了した場合には（ステップＳＴ３３０：Ｙｅｓ）、待ち受け状態に戻る（ステップＳＴ３００）。一方、電界状態の要因による通信中の異常切断による終了であれば（ステップＳＴ３３０：Ｎｏ）、異常切断状態に遷移し（ステップＳＴ３４０）、位置情報検出制御部１７２とデータ自動蓄積制御部１７３とが起動される。
【００４５】
位置情報検出制御部１７２は、ＧＰＳ受信部１１０の受信信号から位置情報を取得して移動体携帯端末１００の現在位置を検出する（ステップＳＴ３５０）。次いで、データ自動蓄積制御部１７３は、異常切断終了した位置をデータ蓄積部１６２に記録する（ステップＳＴ３６０）。その後、待ち受け状態に戻る（ステップＳＴ３００）。
【００４６】
以上のように、移動体携帯端末１００は、通信中における電界強度が不安定で異常切断した場合は、ＧＰＳ衛星を利用して位置情報を検出する機能を備え、異常切断位置データを自動蓄積できるようになっている。
【００４７】
したがって、個々の移動体携帯端末の性能や移動経路における建築障害物による影響、所有者が通常生活で利用する交通手段の移動速度などによって、電界強度レベルの低いエリアや通信不可能なエリアが存在する場合に、所有者は直接その場所を知ることができるので、以後はその異常切断が生じる場所を回避することができる。
【００４８】
【発明の効果】
以上説明したように、本発明によれば、電界強度レベルの低いエリアや通信不可能なエリアなどを個々に検出できるようにしたので、個々の移動体携帯端末に存在する通信可能なサービスエリア情報を所有者は簡単に知ることができる。
【図面の簡単な説明】
【図１】本発明の実施の形態１に係る移動体携帯端末の構成を示すブロック図
【図２】図１に示す移動体携帯端末において実施される電界強度自動測定の動作等を説明するフローチャート図
【図３】本発明の実施の形態２に係る移動体携帯端末において実施される異常切断位置データの自動蓄積動作を説明するフローチャート図
【符号の説明】
１００  移動体携帯端末
１２０  無線部
１２１  受信部
１２２  送信部
１３０  スピーカー＆マイク
１４０  キー入力操作部
１５０  表示部
１６０  記憶部
１６１  電界強度自動測定条件制御部
１６２  データ蓄積部
１７０  制御部
１７１  位置情報検出制御部
１７２  電界強度自動測定制御部
１７３  データ自動蓄積制御部
１７４  無線通信制御部
１７５  時計制御部
【図１】
2004201166.tif 000003
【図２】
2004201166.tif 000004
【図３】
2004201166.tif 000005